Podtech/llm-jp-corpus-v4-ja_patent huggingface dataset:
(57)【要約】【課題】  従来吉凶方位の判断は素人には難しく、現在本人の所在地から明確に磁石を持って地図本の東西南北方位を調べるにしても非簡易で面倒である。地図ソフトウェアーシステムを利用し吉凶方位及び町名、施設を調べ、毎日の行動を計画すれば非常に便利である。【解決手段】  上記の課題を解決する為、本ソフトウェアーシステムは地図ソフトウェアーシステムの地図画面上に自動的に現在地を登録して表示をする。即ち地図ソフトウェアーシステムの東西南北方位と連動し正確かつ簡易に地図上画面に吉凶方位を表示する方法を採用した。【選択図】図４
2007296279.tif 000002
【特許請求の範囲】
【請求項１】
コンピュター及び携帯電話及びカーナビゲーションの地図ソフトウェアーシステム（本ソフトウェアーシステム専用  地図ソフトウェアーシステムも含む、）の地図画面上に自動的に現在地を登録して、個人情報を入力すれば、吉凶方位（特定町名、施設含む）、占い情報を地図上で表示する、占いソフトウェアーシステム。
【発明の詳細な説明】
【技術分野】
【０００１】この発明は地図ソフトウェアーシステム上において、新規に本ソフトウェアーシステムを追加及びプラグインし、自動的に現在地を登録して正確な吉凶方位を地図画面上に表示する、ソフトウェアーシステムに関する。
【背景技術】
【０００２】無し
【発明の開示】
【発明が解決しようとする課題】
【０００３】従来吉凶方位の判断は素人には難しく、本人の現在地から明確に磁石を持って地図本の東西南北を調べるにしても非簡易で面倒である。
【課題を解決するための手段】
【０００４】上記の課題を解決する為、本ソフトウェアーシステムは現在地１（フローチャート１のＳ１、図１）を入力することにより、既存  又は別に成り立つ地図ソフトウェアーシステムの地図画面に現在地１を表示するように指令を出す（フローチャート１のＳ２）地図ソフトウェアーを起動すれば（図２）現在地１を地図画面上に表示する。本ソフトウェアーシステムによって追加された本日の運勢ボタン２（フローチャート１のＳ３、図２）をクリックすれば東西南北方位と連動し正確かつ簡易に地図上画面に吉凶方位及び占い情報を表示する（図３）方法を採用した。
【発明の効果】
【０００５】以上により詳しい吉凶方位の知識が無くても簡易に吉凶方向を素に行動を計画するこができる。
【発明を実施するための最良の形態】
【０００６】この発明の一実施形態を、フローチャート１、図１、図２、図３に示す。
図１が示すように本ソフトウェアーシステムに個人情報を入力する。図２が示すように地図ソフトウェアーを起動する。本人所在地が表示される。図３が示すように本日の運勢ボタン２のジャンルをクリックすると地図画面上に吉凶方位と占い情報が表示される。
【図面の簡単な説明】
【０００７】
【フローチャート１】
【図１】
この発明の一実施形態を示す正視図である。
【図２】
この発明の一実施形態を示す正視図である
【図３】
この発明の一実施形態を示す正視図である
【符号の説明】
１  現在地１
２  本日の運勢ボタン２
【図１】
2007296279.tif 000003
【図２】
2007296279.tif 000004
【手続補正書】
【提出日】平成18年8月8日(2006.8.8)
【手続補正１】
【補正対象書類名】明細書
【補正対象項目名】０００７
【補正方法】変更
【補正の内容】
【０００７】
【図１】この発明のフローチャートである。
【図２】この発明の一実施形態を示す正視図である。
【図３】この発明の一実施形態を示す正視図である。
【図４】この発明の一実施形態を示す正視図である。
（【符号の説明】）
１  現在地
２  本日の運勢ボタン
【手続補正２】
【補正対象書類名】図面
【補正対象項目名】全図
【補正方法】変更
【補正の内容】
【図１】
2007296279.tif 000005
【図２】
2007296279.tif 000006
【図３】
2007296279.tif 000007
【図４】
2007296279.tif 000008
(57)【要約】【課題】この発明は，アイメイクをする際にスタンプでアイライナーを引く具を提供する。【解決手段】アイラインに沿ったスタンプを設け，スタンプでアイライナーを引く具である。【選択図】図１
2007296282.tif 000002
【特許請求の範囲】
【請求項１】
アイラインに沿ったゴム印を設け，スタンプでアイライナーを引く具。
【発明の詳細な説明】
【技術分野】
【０００１】この発明は，アイメイクをする際に簡単にスタンプでアイライナーを引く具に関するものである。
【背景技術】
【０００２】従来，筆ペンのような物でアイラインを引いていた。
【発明の開示】
【発明が解決しようとする課題】
【０００３】そのために，次のような問題点が生じていた。
（イ）アイラインの太さが定まらず，きれいなアイライナーを引くことが，とても難しく面倒だった。
本発明は，以上の問題点を解決したものである。
【課題を解決するための手段】
【０００４】アイラインに沿ったゴム印を設け，スタンプでアイライナーを引く。
以上の構成からなるスタンプでアイライナーを引く具である。
【発明の効果】
【０００５】したがって，同じ太さでアイライナーが簡単に引くことができるため，アイメイクの際に左右バランスのとれたメイクができる。
【発明を実施するための最良の形態】
【０００６】以下，本発明の実施の形態について説明をする。
（イ）山型スタンプ台（１）を設ける。
（ロ）アイラインに沿ったスタンプ（２）を設ける。
本発明は以上の構成からなる，スタンプでアイライナーを引く具である。以下，使用法について説明する。
山型スタンプ台（１）をアイラインに沿ったスタンプ（２）にインクをつけ，目のきわに沿ってインクが付いている（２）を押し付ける。
したがって，失敗がなく簡単に，一定の太さでアイライナーを引くことがでるので，アイメイクの時に，短時間できれいなアイラインが仕上げられる。
【図面の簡単な説明】
【０００７】
【図１】本発明の斜視図
【図２】本発明の原理説明図
【図３】本発明の使用説明図
【符号の説明】
【０００８】１は山型スタンプ台
２はアイラインに沿ったスタンプ
【図１】
2007296282.tif 000003
【図２】
2007296282.tif 000004
【図３】
2007296282.tif 000005
(57)【要約】【課題】  ファスナーの二列に分かれたエレメント（１０）を、簡単に噛み合わせて結合する改良型ファスナー・スライダーを提供する。【解決手段】  従来のファスナー・スライダーの下肩口（７）を延長しベロ（２）を付けることにより、ガイド金具（１１）が簡単に上肩口（６）と下肩口（７）の間の入り口（３）に入り、上レール（８）と下レール（９）に沿って進むことを特徴とする改良型ファスナー・スライダー。【選択図】図１
2007296288.tif 000002
【特許請求の範囲】
【請求項１】
ファスナー・スライダーの下肩口を延長することを特徴とする、改良型ファスナー・スライダー。
【発明の詳細な説明】
【技術分野】
【０００１】  本発明は、改良型ファスナー・スライダーに関するものである。
【背景技術】
【０００２】  従来、ファスナー・スライダーがあった。
【発明の開示】
【発明が解決しようとする課題】
【０００３】  そのために、次のような問題点があった。
（イ）二列に分かれているエレメント（１０）を噛み合わせて結合する時に、これを結合するスライダーの上肩口（６）と下肩口（７）の間隔が小さいために、テープ（１２）下部に付いているガイド金具（１１）を上肩口（６）と下肩口（７）の間の入り口に挿入することが困難であった。
（ロ）このため、目が不自由なお年寄りや子供たちにとってファスナーのエレメントを噛み合わせて結合するのが非常に困難であった。
（ハ）夜間に二列に分かれたエレメント（１０）を噛み合わせて結合するのは健常者にとっても困難であった。
本発明は、これらの問題点を解決するためになされたものである。
【問題を解決するための手段】
【０００４】  （イ）ファスナー・スライダーの下肩口（７）をやや延長してベロ（２）を付けることにより、ガイド金具（１１）が簡単に上レール（８）と下レール（９）の間に滑り込ませることができる。
以上を特徴とする、改良型ファスナー・スライダーである。
【発明の効果】
【０００５】  （イ）ファスナー・スライダーの下肩口（７）を延長しているのでガイド金具（１１）が簡単に上肩口（６）と下肩口（７）の間に簡単に挿入でき、上レール（８）と下レール（９）に沿って移動できる。このために目が不自由な老人や、幼い子供たちもベロを手でさわるだけで、簡単にガイド金具（１１）をファスナー・スライダーの入り口（３）に挿入でき、引き手（４）をテープ（１２）の上部まで滑り上げ、二列に分かれていたエレメント（１０）を噛み合わせて結合できる。
（ロ）暗闇では、健常者にとっても二列に分かれたエレメント（１０）噛み合わせて結合することは困難であったが、改良型ファスナー・スライダーであれば、容易に二列に分かれていたエレメントを噛み合わせて結合することが出来る。
【発明を実施するための最良の形態】
【０００６】  以下、本発明の実施の形態について説明する。
（イ）スライダーの下肩口（７）を延長してベロを付ける。
（ロ）これにより、テープ（１２）の末端に装着されているガイド金具（１１）が簡単に上肩口（６）と下肩口（７）の間の入り口（３）に挿入できる。
（ハ）従来のファスナー・スライダーと異なり、直接、スライダーを肉眼で確かめなくとも、スライダーを指で触るだけで、ベロ（２）を確認できるので、これに沿ってガイド金具（１１）を指で入り口（３）に押し込み、引き手（４）をつまんで上のほうに引けば簡単に、二列に別れていたエレメント（１０）が噛み合って結合する。
【図面の簡単な説明】
【０００７】
【図１】  本発明の斜視図
【図２】  従来の斜視図
【図３】  本発明の使用図
【図４】  従来の使用図
【符号の説明】
【０００８】      １  ダイヤモンド
２  ベロ
３  入り口
４  引き手
５  柱
６  上肩口
７  下肩口
８  上レール
９  下レール
１０  エレメント
１１  ガイド金具
１２  テープ
【図１】
2007296288.tif 000003
【図２】
2007296288.tif 000004
【図３】
2007296288.tif 000005
【図４】
2007296288.tif 000006
(57)【要約】【課題】椅子座位にて使用者の坐骨部を最適な位置及び角度に固定して背骨の生理的湾曲を保ち、座位での疲労を防止する。【解決手段】椅子の座面後半部を上方へ傾斜可動する装置を具備する。【選択図】図２
2007296286.tif 000002
【特許請求の範囲】
【請求項１】
椅子の座面後半部を上方へ傾斜可動できる装置を具備することを特徴とする。
【発明の詳細な説明】
【技術分野】
【０００１】  本発明は、疲労防止目的の椅子に関する。
【背景技術】
【０００２】  従来の椅子の座面は、一枚の板状のクッションが一般的で疲労防止対策は殆ど無かった。
【発明の開示】
【発明が解決しようとする課題】
【０００３】  従来の椅子の座面は、一枚の板状のクッションが一般的なため使用者の坐骨部が最適な位置及び角度に固定できず、結果として悪い姿勢の原因となり、疲労の蓄積につながっていた。【０００４】  本発明は、使用者の坐骨部を最適な位置及び角度に固定して背骨が生理的湾曲を保つ状態にして疲労防止ができることを目的とするものである。
【課題を解決するための手段】
【０００５】  本発明は、上記目的を達成するために、椅子の座面後半部を上方へ傾斜可動できる装置を具備することで使用者の坐骨部を最適な位置及び角度に固定し座位での背骨の生理的湾曲を保ち疲労蓄積を少なくするものである。
【発明の効果】
【０００６】  上述したように本発明は、使用者の座位での姿勢を改善し、長時間、座っていても疲労の蓄積が少なく、肩こり、腰痛などの防止にも効果を発揮するものである。
【発明を実施するための最良の形態】
【０００７】  以下、本発明の実施の形態を図１〜図２に基づいて説明する。
【実施例１】
【０００８】  図１は、椅子の座面後半部が上方へ傾斜可動する前で、従来の椅子と同じ状態です。この場合、座位姿勢は使用者の坐骨部が最適な位置及び角度に固定できないため背骨は生理的湾曲がとれずらく、結果的に悪い姿勢となり疲労しやすくなる。
【実施例２】
【０００９】  図２は、椅子の座面後半部が上方へ傾斜可動した後です。使用者の坐骨部が最適な位置及び角度に固定されるため、背骨の生理的湾曲がとれ結果的に姿勢が良くなり疲労しにくくなる。
【図面の簡単な説明】
【００１０】
【図１】  椅子の座面後半部を上方へ傾斜可動する前、及び座位姿勢図。（実施例１）
【図２】  椅子の座面後半部を上方へ傾斜可動した後、及び座位姿勢図。（実施例２）
【図１】
2007296286.tif 000003
【図２】
2007296286.tif 000004
(57)【要約】【課題】  洗濯物を吊るしたハンガーが規則正しい間隔で掛けられて、ハンガーが左右にずれにくく且つ、竿そのものも左右にずれにくい、波型物干し竿を提供する。【解決手段】  洗濯物を吊るしたハンガーが、規則正しい間隔で吊るされ、竿が左右にずれにくく、地面に落ちるのを防止するために、竿の表面に凹凸をつけたことを特徴とする波型物干し竿。【選択図】図１
2007296289.tif 000002
【特許請求の範囲】
【請求項１】
表面に波型のうねり構造があることを特徴とする波型物干し竿。
【発明の詳細な説明】
【技術分野】
【０００１】本発明は、波型物干し竿に関するものである。
【背景技術】
【０００２】従来、軽金属製で表面が真っ直ぐな物干し竿があった。
【発明の開示】
【発明が解決しようとする課題】
【０００３】そのために、次のような問題点があった。
（イ）物干し竿に、洗濯したシャツなどを吊るした多数のハンガーをかけると風によってハンガーが移動して、洗濯物が互いにくっつく傾向がある。
（ロ）物干し竿に、多数のハンガーをかけると、その間隔が狭くなったり広くなったりする。物干し竿の片端が滑り落ちる時がある。
（ハ）時として、物干し竿の片端が滑り落ち、ハンガーに吊るした洗濯物が地面に落ちる時がある。
（ニ）多くの家庭では物干し竿が滑り落ちないように、物干し竿の両端と、竿載せを紐で固定している。
本発明は、これらの問題点を解決するためになされたものである。
【問題を解決するための手段】
【０００４】（イ）物干し竿の表面に波型の凹凸をつける。
以上を特徴とする、波型物干し竿である。
【発明の効果】
【０００５】（イ）洗濯物が吊るされたハンガーを多数の凹凸の波が規則正しく施された波型物干し竿に吊り下げると、その凹部に規則正しい間隔でハンガーがぶら下がるので、洗濯物同士が互いに離れた状態になり、乾燥しやすくなり、風に吹かれても余り移動しなくなる。
（ロ）波型物干し竿に施されている凹部によって、波型物干し竿が竿載せにはまり込むので、左右にずれなくなり、物干し竿が地面に落ちにくくなる。。
【発明を実施するための最良の形態】
【０００６】以下、本発明の実施の形態について説明する。
（イ）物干し竿の表面に規則正しく凹凸の波をほどこす。
（ロ）竿に等間隔で施された波型の凹部によって従来の物干し竿よりも多くのハンガーを吊るすことが出来る。
（ハ）波型物干し竿の凹部が竿載せに設けられた枠にはまるので、波型物干し竿は左右にずれにくくなり、地面に落ちるのを防止できる。
【図面の簡単な説明】
【０００７】
【図１】本発明の斜視図
【図２】従来の物干し竿の斜視図
【符号の説明】
【０００８】１  波型物干し竿
２  波型の凹凸部分
３  従来の物干し竿
【図１】
2007296289.tif 000003
【図２】
2007296289.tif 000004
(57)【要約】【課題】  本発明の着想は節分祭の豆まき行事に由来して、節分に追難、招福を祈願した豆に、豆まき後、食するのみで終わることなく、豆、又は同様な丸い粒状の模造品に数字を施し、数字選択式宝くじの確率的、数字選びに浄福の期待と趣向を加える活用方法と装置の製造方法を提供する。【解決手段】  節分祭で入手した豆に数字を記入し、又は同様に数字を施した模造品で、数字選択式宝くじの緒条件を整えて、外側から選択した数字が読み取ることが出来る、手に持って回転させる、プラスチック製の筒型の確率的な数字表示器の計算おもちゃの製造方法である。【選択図】図１
2007296281.tif 000002
【特許請求の範囲】
【請求項１】
節分の豆まきの豆、又は同様な丸い粒状の模造品に数字を施し、数字選択式宝くじの選択数字を確率的な発生方法で、豆、等を一列に並べ、数字を読み取ることの出来る、豆等の、活用方法と、整列させる、数字表示器となる計算おもちゃの製造方法。
【発明の詳細な説明】
【技術分野】
【０００１】  本発明は節分の日の豆まき行事に由来して、豆まきの豆、で大勢の人々が浄福を期待することがあることに着目した、節分には多数の社寺で祈願を込めた福豆が用意され、店頭でも販売され、下賜又は購入することができる、その豆を入手して豆に数字を記入し容器内に所定数量の一組の数字入り豆を入れ、空間を含め蓋をする、豆が自由に並び替えられる空間で所定数量の中の規定数量の豆の数字を容器の外側から容易に読み取れる装置で、その数字は数字選択式宝くじの数字として愛好の人々の招福と希望の期待を増幅させることができる、豆の活用と簡便な装置用具の確率的数字表示器の製造方法と計算おもちゃに関するものである。
【背景技術】
【０００２】  従来から節分には社寺では種々祈願が行われ、豆まきの行事が行われている、一般には鬼は外、福は内と大声で豆をまき、祈念を込めて追難、招福を祈り、又は年齢の縁起を祝う等、拾い得た豆はありがたく思われており、食用となっている。
【発明の開示】
【発明が解決しようとする課題】
【０００３】  本発明は祈願の込められた豆が食するだけのものではなく、より招福の希望を増幅させ得る活用方法である、入手した豆に１番から順に数字を記入する、数字が付記された豆を所定数量だけ透明筒形の空間のある容器に収容し、その数字豆が自由に容器内で移動が出来る空間を設けて蓋をする、数字豆の入った容器を円周方向に回転させたとき、規定数量だけが一列に並び掬い上げられる様な溝型升を容器の内壁に設けて、規定数量の数字豆の番号数字が容器の外側から読み取ることが出来る事と、中に収容された数字豆が円周方向以外の回転でも規定数量の豆の数字が確率的発生を妨げることがなく自由に容器内の移動が出来るような装置を備えた容器と数字入り豆で数字選択式宝くじの数字選びに関するものである。
【課題を解決するための手段】
【０００４】  数字入り豆は節分の時に入手するものの方が趣があると考える、その豆粒の形状、大きさ等が等しいものを所定の数量選出する、これは食用として炒ってある為で豆粒の大きさや表皮に差異等が生じているからである、又表皮に亀裂のあるもの等は接着剤を用いて補正を行う、選出、補正を終了した豆粒を所定の数量、一粒毎に１から順番を追って細書きの筆を用いて数字を記入し数字入り豆を作る。【０００５】  数字を読み取る為の装置を備えた計算おもちゃの本体は、透明な筒形の容器と嵌合する蓋を作成する、容器は一組の所定数量の豆と空間を収容し蓋をして、容器を円周方向に回転させた時、豆の滑り防止の邪魔板を設け、容器を上下左右に振幅させた時でも自由に豆の攪拌ができる空間を設ける、容器を円周の一定方向に回転させた時、一列に所定数量の中の規定数個の豆を掬い上げられる調整された溝型升を容器の内壁に設けて、その一列の規定数個の豆に記入された数字が順番に容器の外側から容易に読み取る事が出来る装置を有する、手に持って回転させる用具の計算おもちゃとなる。【０００６】  豆の数字にケタ毎に層別する組み合わせを必要とする場合は、記入する数字並びに容器の内側に層別する仕切板を設ける。
【発明の効果】
【０００７】  豆は節分祭に豆まき行事でまかれた後は食用となっている、本発明はその豆にもう一度、節分に込めた祈願を再び愛好する大勢の人々の手の中にあって、思いを込めて幸運の効果を願うものである、数字選択式宝くじの選択数字を考える時、同じ組み合わせを繰り返したのか、や、好きな数字が、出尽くした時の数字選びに悩んだ時、自分の意思とは関係なく、組み合わせの種々を、簡単に自分の手の中での容器の回転のさせ方で容器の中で確率的に発生する数字に幸運を射止める選択を任せる趣向を増し味方となるものである。
【発明を実施するための最良の形態】
【０００８】  数字入り豆は数字が容器の外側から見た時にどの方向から見ても数字を読み取ることが出来るようにサイコロの目を投影した様に、豆粒の前後、左右、上下、の各面に相当する６個所に同じ数字を記入する、豆と同様に祈願し数字を施した模造品も可能で機能は同等で量産化に適する。【０００９】  数字を読み取る計算おもちゃの本体は透明のプラスチックの底のある筒形の容器と、開口部を閉じる嵌着する蓋、規定の数量の豆を掬い上げる様に調整された溝型升、滑り防止の邪魔板の、４個の部品で構成する、並びにケタ毎に層別の数字列を必要とする場合は、仕切板を別に同質のプラスチックで部品として作る、各部品はプラスチック成型品として製作する、容器に所定の数量の豆を入れ、空間をとり蓋を閉じて、円周方向に回転させた時、中の豆粒が容器の内壁に沿って滑ることを防ぐ邪魔板を容器の内壁に設ける、規定数量の豆を掬い上げる溝型升は、容器を円周方向の一方向にのみ回転させた時に一列に整列して掬い上げられる様に、邪魔板とは対向側の容器の内壁に設ける、以上の部品を内包して所定数量の豆粒が容器を円周方向に回転させた時攪拌され、自由に位置が移動出来る、空間のある容積を有することが必要である、溝型升、邪魔板は容器内壁に接着等により取り付けるが、一体成型も可能である、ケタ毎に層別する数字列を必要とする時は別製の仕切板を容器内に嵌着して使用する、数字入り豆の一組の所定数量を容器内に入れ蓋を嵌着して計算おもちゃは完成する、【００１０】  本発明の書類で述べた、所定数量とは数字選択式宝くじの種類別の名称毎の枠内の数字の個数であり、規定数は選択すべき数字の個数である、本発明は以上の構成からなるので本発明を使用する時は容器を両手で静かに溝型升が豆を掬い上げる様に回転させれば溝型升の中に規定数量の数字入り豆が一列に整列して掬い上げられ、その豆にある数字を読み取ることが出来る、読み取り後同方向に回転し続ければ豆は溝型升より落下して原点にもどる、回転方向を容器の外側に矢印で表示して繰り返し使用できる。
【図面の簡単な説明】
【００１１】
【図１】  本発明の容器本体の蓋を外した状態の分解斜視図である。
【図２】  本発明の容器の右側面図である。
【図３】  本発明のケタ毎の層別する仕切板を嵌着した正面図である。
【符号の説明】
【００１２】    １    筒形の容器。
２    蓋。
３    邪魔板。
４    溝型升。
５    仕切板。
６    回転方向を示す矢印。
【図１】
2007296281.tif 000003
【図２】
2007296281.tif 000004
【図３】
2007296281.tif 000005
(57)【要約】【課題】  加齢を重ねると、膝を高く持ち上げる時に働く腸腰筋や小臀筋と呼ばれる筋肉が衰え、転倒しやすくなる。お年寄りが寝たきりになる大きな原因が転倒による骨折。大腿部や腰周辺の筋肉の鍛錬が転倒予防につながると言われているが、それにはウォーキングやジョキングなどの運動よりも自転車こぎの方が有効である。加えて利用者の安全確保が第一である。【解決手段】  使用場所を選ばず安全に、気軽に使用することが出来る。それを可能とした介護予防機器である。利用者の無理のない自然で安定した姿勢（車椅子または椅子に腰かけた状態）で利用可能、自力で自転車こぎのようにを繰り返すことが最も重要である。【選択図】図１
2007296290.tif 000002
【特許請求の範囲】
【請求項１】
自転車のペタルを踏み動かすと同様な動作を、自力にて繰り返すを特徴とする介護予防機器。
【請求項２】
前記用具は、自転車のような腰掛サドル部は無い、車椅子、椅子に腰掛けた状態で使用が出来ることを特徴とする請求項１記載の介護予防機器。
【請求項３】
前記用具は、自動車のような変則ギヤーレバー部が有り、レバー部の位置の変動で５段階の加重を調節できるを特徴とする請求項１記載の介護予防機器。
【請求項４】
前記用具は、変則ギヤー部の内部は、自転車のブレーキと同様にドラム部をレバー部の変動に合わせ、締め付けることにより加重を与えるものを特徴とする請求項１記載の介護予防機器。
【請求項５】
前記用具は、軽量・小型で持ち運び可能、安定性を保持するために、本機の前後に左右に伸びた固定脚部を設置したを特徴とする請求項１記載の介護予防機器。
【請求項６】
前記用具は、使用する場所を選ばないを特徴とする請求項１記載の介護予防機器。
【発明の詳細な説明】
【技術分野】
【０００１】  この発明は、筋力トレーニング用バイク機器に関するもの。
【背景技術】
【０００２】  既存の同種筋力トレーニング用バイク機器は、自転車のハンドル部またはサドル部が有り、それらによって利用する人の体を支え、バランスをとりながらペダルを踏む動作を繰り返し利用する、あるいはペダル踏みの動作を電動式などに委ねられているものである。
【発明の開示】
【発明が解決しようとする課題】
【０００３】  しかしながら、以上の技術によれば、自力で起き上がれない、自力で歩行が出来ない、高齢または何らかの原因により、脚力が低下し歩行が困難となっている方には利用しにくいものである。
そこでこの発明は、安全で手軽に場所を選ばず利用できる介護予防機器を提供することを課題とする。
【課題を解決するための手段】
【０００４】  以上の課題を解決するために、第一発明は、介護予防機器として車椅子、椅子に腰掛けた状態で自力にて本機を利用することで、筋力（腸腰筋・小臀筋・大腿部の筋肉）の増強が出来ることを特徴とする介護予防機器。
また、第二発明は、利用者の体力・筋力に合わせペタル加重が容易に出来ることを特徴とする介護予防機器。
第三発明は、当機をテーブル等の台上に設置し、ペタル部分を両手で持ち回転運動を繰り返すことにより両手・両腕のトレーニングも可能となることを特徴とする介護予防機器。
【発明の効果】
【０００５】  第一発明、または第二・第三発明によれば、本機を継続繰返し利用することにより、筋力トレーニング用機器を利用した時のように、体力、特に筋力（腸腰筋・小臀筋・大腿部の筋肉）増強が可能となる。
【発明を実施するための最良の形態】
【０００６】  この発明の一実施形態を、図１に示す。
介護予防機器は本体部分は鉄製でＨ型の台材からなる。本体台材の中央部から左右２本の支柱を組み上げ、ペタル部に直結した左右に伸びた回転軸を支える。
左右のペタル部に直結した左右に伸びた回転軸には回転ドラムを付け、ドラムの円周を変則ギヤーに連動した加重用パッドを付けた、変則ギヤーの動きに合わせ加重用パッドが回転ドラムを包み込みペタル加重の強弱が出来る。加重用パッドが磨耗し加重率に変化が起きたときに備え、加重用パッドにワイヤーを結び本体底部に固定したボルトにて固定、ボルトを締める、緩める事で加重の微調整を可能にした。【０００７】「実施形態の効果」
この実施形態によれば、加年齢者は膝を高く持ち上げるに時に動く腸腰筋や小臀筋と呼ばれる筋肉が衰え、つまずき等で転倒しやすくなる。当介護予防機器を繰り返し利用することにより、腸腰筋や小臀筋の筋力強化に役立ち、また、両腕で回転を繰返し行う事により、介護予防機器としても幅広く利用できる。【０００８】「他の実施形態」
図１の実施形態では、正面向きでの使用が通常であるが、反対向きで利用することも出来る。その時にはペタル加重度はより重くなり、使用者の好みでペタル加重度を選択することでも良い。
【図面の簡単な説明】
【０００９】
【図１】この発明の一実施形態を示す斜視図である。
【図２】この発明の一実施形態を示す斜視図と部品説明図である。
【図３】この発明の一実施形態を示す正面図である。
【図４】この発明の一実施形態を示す側面図である。
【図５】この発明の一実施形態を示す底面図である。
【符号の説明】
【００１０】    １  介護予防機器本体        ２  ペタル
３  変則ギアーレバー        ４  計測タイマー
【図１】
2007296290.tif 000003
【図２】
2007296290.tif 000004
【図３】
2007296290.tif 000005
【図４】
2007296290.tif 000006
【図５】
2007296290.tif 000007
(57)【要約】【課題】  この発明は、主に子供や外国人などの箸が正しく使用できない人のために、箸の正しい操作、特に、正しい箸の持ち方を練習するための箸の補助具に関するものである。【解決手段】  固定箸２ａ、すなわち、薬指の先端と親指・中差し指の付け根において固定される下の箸と、可動箸２ｂ、すなわち、中指と人差し指の間に置かれ、親指で支えられる上の箸からなる箸本体２に、補助具３を丸い穴に２ａ、細長い穴に２ｂを箸の先端側より装着することで、箸を使用するさい難しいとされる２ａ、２ｂの箸を持つ箇所の箸間隔を適度に保つことが出来、かつ、箸先のねじれを防止する。しかも、構造が簡単で低コストである。【選択図】図１
2007296298.tif 000002
【特許請求の範囲】
【請求項１】
板状のものに丸と細長い穴を各１箇所、所定の間隔を確保してあけた箸補助具。
【発明の詳細な説明】
【技術分野】
【０００１】  本発明は、箸を正しく持つことの習得を図った箸の補助具に関する。
【背景技術】
【０００２】  通常用途の箸と共に用いる箸補助具としては、実開平５−２３９７７、特開平６−２９６５４１が提案されているが、いずれも箸が離れずに開閉できることだけを目的にしており、実際の使用では大きな問題となる箸先のねじれ防止に関する具体的技術開示はない。
【特許文献１】実開平５−２３９７７号公報
【特許文献２】特開平６−２９６５４１号公報
【発明の開示】
【発明が解決しようとする課題】
【０００３】  主に子供や外国人など箸を正しく使えない人の問題点は、箸を持つ所の間隔をあけて箸をもつと箸先がねじれうまくものをつかむことができない点である。【０００４】  本発明は、このような箸を正しく使えない人の問題点を解決することを目的とする。
【発明が解決するための手段】
【０００５】  箸補助具に所定の間隔で２つの穴、丸い穴と細長い穴をあけた。丸い穴に固定箸、細長い穴に可動箸をそれぞれ装着する。
【発明の効果】
【０００６】  所定の間隔を確保し丸及び、細長い穴をあけたことにより、必然的に持つ部分の箸の間隔をあけて箸が持て、細長い穴の上下でのみ可動箸が可動できないため、箸先のねじれを防止することができる。また、構造が簡単かつ低コストである。
【０００７】  箸補助具の材質は限定されない。例えばプラスチック、木、ゴム、金属などを採用することができる。
箸の長さには限定されない。また、箸の断面形状についても限定されない。例えば、円形、三角形などの断面である。
【発明を実施するための最適の形態】
【０００８】  固定箸と丸い穴の補助具の装着部分の密着性が重要である。一方、可動箸と細長い穴の補助具の装着部分には箸の太さより約２ミリメートルの隙間が必要である。箸をスムーズに可動させるため、必要である。但し、隙間が大きすぎると、箸先のねじれが生ずるおそれがある。
【図面の簡単な説明】
【０００９】
【図１】本発明の使用時の断面図である。
【図２】本発明の概略図である。
【図３】本発明の斜視図である。
【符号の説明】
【００１０】  ２ａ  固定箸
２ｂ  可動箸
３  箸補助具
【図１】
2007296298.tif 000003
【図２】
2007296298.tif 000004
【図３】
2007296298.tif 000005
(57)【要約】      （修正有）【課題】  ペットが食事中に餌をこぼさなく食べれて、掃除が楽になるニャンニャン御膳。【解決手段】    ペットの食器２において、ペットの食器２に首が入る窪み３を設けたことにより餌をこぼさないで食べられ、受け台１の食器の底部も楕円形の穴とすることで、食器２の転倒も防ぐことができ、餌をこぼさないでたべるのであとの清掃の不要になり、衛生面を考えて食器２の内面を抗菌加工をして、安心して食べさせられるニャンニャン御膳である。【選択図】図１
2007296294.tif 000002
【特許請求の範囲】
【請求項１】
ペットの食器において、ペットの食器に首が入る窪みを設けたことにより餌をこぼさないことを特徴とし、手入れを怠りがちのため衛生面を考えて抗菌加工を施したニャンニャン御膳。
【請求項２】
ペットの食器の底部を楕円にした請求項１記載のニャンニャン御膳で、固定させることにより食器が転倒したり餌をこぼすのを防ぎ掃除を容易にし、ペットの大きさにより調整可能とする受け台を設けたことを特徴とするニャンニャン御膳。
【請求項３】
ペットの食器を餌用と水用とがひとつに置ける受け台も本発明の組み合わせとし、受け台の大きさや高さについては、ペットの大きさによって調整可能とし請求項２と合わせた穴に同方向にはめ込むことにより、ペットの食器が転倒せずこぼすことなく残さずに、ペットも快適に食べられ、掃除も楽にできることを特徴とするニャンニャン御膳。
【発明の詳細な説明】
【技術分野】
【０００１】  本発明は、ペットが食事をする時に、食べずらい容器を首の部分が入る加工をすることにより容易に食事が可能となり底部を楕円にする事で受け台に固定できるニャンニャン御膳に関するものである。
【背景技術】
【０００２】  従来は、通常の食器ではこぼしたり、底部の食事を食べる時に食器をひっくり返したりしていた。
【発明の開示】
【発明が解決しようとする課題】
【０００３】  そのために次ぎのような問題があった。
（イ）最後まで食事を食べようとすると足でひっくり返してしまっていた。
（ロ）水の場合は、掃除が非常に大変である。
【課題を解決するための手段】
【０００４】  ペットの食器に首が入る窪みを設ける。抗菌加工を施す。食器の底部を楕円とし受け台も楕円加工することで固定する。以上を特徴とするニャンニャン御膳である。
【発明の効果】
【０００５】  こぼさずに容易に食事が可能となる。
ペットの食事も容易となり掃除も不要となる。
食器が回転したり転倒したりしない。
【発明を実施するための最良の形態】
【０００６】  以下、本発明の実施の形態を説明する。
ペットの食器において、図１に示すようにペットの食器に首が入る窪み（３）を設けたことにより餌をこぼさないことを特徴とし、手入れを怠りがちのため衛生面を考えて抗菌加工を施したニャンニャン御膳。
ペットの食器の底部を楕円（４）にしたニャンニャン御膳で、固定させることにより食器が転倒したり餌をこぼすのを防ぎ掃除を容易にし、ペットの大きさにより調整可能とする受け台（６）を設けたことを特徴とするニャンニャン御膳。
ペットの食器を餌用と水用とがひとつに置ける受け台（１）も本発明の組み合わせとし、受け台の大きさや高さについては、ペットの大きさによって調整可能とし食器と合わせた穴に同方向にはめ込むことにより、ペットの食器が転倒せずこぼすことなく残さずに、ペットも快適に食べられ、掃除も楽にできることを特徴とするニャンニャン御膳。
本発明は、以上の構成よりなっている。
本発明の使い方を説明する。
食器の一端にペットの首が入る窪みを付ける事でこぼさずに容易に食事が可能となる。
底部を楕円にする事で、受け台にも同じ楕円で固定する事で動かないように固定させることにより食器が回転したり転倒したりしない。
【図面の簡単な説明】
【０００７】
【図１】本発明の斜視図
【図２】本発明の正面図
【図３】本発明の背面図
【図４】本発明の底面図
【図５】本発明の図２の断面図
【図６】本発明の受け台の斜視図
【符号の説明】
【０００８】  １  受け台
２  食器本体
３  窪み
４  楕円の足
５  食器の内部
６  受け台の楕円形の穴
【図１】
2007296294.tif 000003
【図２】
2007296294.tif 000004
【図３】
2007296294.tif 000005
【図４】
2007296294.tif 000006
【図５】
2007296294.tif 000007
【図６】
2007296294.tif 000008
(57)【要約】【課題】  腕時計のバンドに粒状ゲルマニウムをつける、ゲルマニウムつき腕時計を提供する。【解決手段】  腕時計とゲルマニウムつき腕輪をそれぞれ別々に手首に巻きつける不便さを解決することを特徴とするゲルマニウムつき腕時計。【選択図】図１
2007296291.tif 000002
【特許請求の範囲】
【請求項１】
粒状ゲルマニウムを付けることを特徴とするゲルマニウムつき腕時計バンド。
【発明の詳細な説明】
【技術分野】
【０００１】  本発明は、腕時計のバンドに粒状ゲルマニウムを貼り付けることに関するものである。
【背景技術】
【０００２】従来、粒状ゲルマニウムを貼った腕輪があった。
【発明の開示】
【発明が解決しようとする課題】
【０００３】そのために、次のような問題点があった。
（イ）腕時計をはめている手首に、さらに粒状ゲルマニウムを貼った腕輪をはめると、手首に大きな負担がかかる。
（ロ）両手を使う仕事が困難なる。
（ハ）腕時計のバンドと粒状ゲルマニウムを貼った腕輪が互いに傷つけあう。
本発明は、これらの問題点を解決するためになされたものである。
【問題を解決するための手段】
【０００４】（イ）腕時計のバンドの裏側に粒状ゲルマニウを貼り付ける。
以上を特徴とする、ゲルマニウムつき腕時計バンドである。
【発明の効果】
【０００５】（イ）腕時計のバンドに粒状ゲルマニウムが貼り付いているので、粒状ゲルマニウムを貼った腕輪を手首に着ける必要がない。
【発明を実施するための最良の形態】
【０００６】以下、本発明の実施の形態について説明する。
（イ）腕時計のバンドの裏側に粒状ゲルマニウムを数個貼り付ける。
（ロ）この腕時計を手首につける。
（ハ）これにより腕時計のほかに別途、粒状ゲルマニウムを貼った腕輪を手首につける必要がなくなる。
【図面の簡単な説明】
【０００７】
【図１】本発明の斜視図
【図２】従来の腕時計の斜視図
【符号の説明】
【０００８】１  粒状ゲルマニウム
２  バンド
３  時計本体の裏側
【図１】
2007296291.tif 000003
【図２】
2007296291.tif 000004
(57)【要約】      （修正有）【課題】お地蔵様にピッタリ似合った四季折々の服を提供する。【解決手段】１は四角形の間にギャサ−を寄せ、紐の間と縫い合わせ、ゴムの片方を紐のに、ゴムのもう片方を紐に縫いつける。間を運針して絞る。この方法によりお地蔵様の頭囲をゴムと紐で調節出来る帽子が完成する。  ２は襟元にフリルをあしらう。  ３は四角形間にゴムとうしを作る。衣の前方の脇間と四角形間、衣の後方の脇間と四角形間を左右同じように縫い合わせ、間にゴムを入れる。  ４は３の作り方で袖と襟をつけない。  以上１〜４の地蔵服で四季折々に着用出来るピッタリサイズの心温まる地蔵服を作れる。【選択図】図１
2007296297.tif 000002
【特許請求の範囲】
【請求項１】
四季折々に地蔵服帽子、地蔵服中着、地蔵服上着、地蔵服チョッキを組み合わせて着用出来ることを特徴とする地蔵服である。
【請求項２】
地蔵服帽子は頭部後方にゴムを使用することによりフリ−サイズとなる。また、紐でも頭囲の調製が出来、ゴムと紐の両方で頭囲の調節が出来ることを特徴とする請求項１の地蔵服である。
【請求項３】
地蔵服中着は襟元にフリルをあしらい、可愛らしさを特徴とする請求項１記載の地蔵服である。
【請求項４】
地蔵服上着は胴囲に布を継ぎ胴囲にゴムを使うことによりフリ−サイズになる。作務衣や甚平にも応用出来、デザイン的にも可愛く仕上げたことを特徴とする請求項１記載の地蔵服である。
【請求項５】
地蔵服チョッキは地蔵服上着に袖と襟をつけないことを特徴とする請求項１記載の地蔵服である。
【発明の詳細な説明】
【技術分野】
【０００１】  この発明は、お地蔵様等の参拝に用いる地蔵服に関する。
【背景技術】
【０００２】  お地蔵様の姿、形や大きさが様々で、ピッタリサイズの服を作るのは大変困難である。
【発明の開示】
【発明が解決しようとする課題】
【０００３】  そこでこの発明は、お地蔵様にピッタリ似合った四季折々の服を提供することを課題とする。
【課題を解決するための手段】
【０００４】  以上の課題を解決するために第一発明は、帽子の後ろにゴムを用いて頭囲をフリ−サイズに仕上げまた帽子の後ろの紐を長くとり頭のサイズに合わせて後方で結べるように、二段がまえの調節を考案した。（図３）
第二発明は、えりもとにフリルをあしらったことを特徴とする地蔵服である。（図５）
第三発明は、布（四角形ｉｊｋｌ）（図７）を継ぎｉｊ間にゴムを入れ胴囲をフリ−サイズに出来た。また、ゴムを入れたことによりギャザ−がはいりデザイン的にも可愛らしく仕上げたことを特徴とする地蔵服である。
【発明の効果】
【０００５】  第一発明、第二発明、第三発明によりお地蔵様に素敵な地蔵服が出来る。
【発明を実施するための最良の形態】
【０００６】  この発明の実施形態を、図１に示す。
地蔵服は布であるが、寒い時季は毛糸で編んでも良い。また、季節によって布地を選んだり、図１に示す地蔵服を組み合わせ着用させても良い。【０００７】「実施形態の効果」
この実施形態によれば、心温まる地蔵服に感謝の気持ちを表わすことが出来、１〜４の地蔵服を組み合わせることで四季折々に対応できる。【０００８】「他の実施形態」
図３の実施形態では、ゴムを使用しているがマジックテ−プでも良い。
図５の実施形態では、フリルをあしらっているがレ−スやタックを多く入れた布をとりつけても良い。
図７の実施形態では、四角形ｉｊｋｌとしているが、ｉｋを半径とする扇形でも良い。
【図面の簡単な説明】
【０００９】
【図１】この発明の実施形態を示す斜視図である。
【図２】地蔵服帽子前方斜視図である。
【図３】地蔵服帽子後方斜視図である。
【図４】地蔵服帽子製作図である。
【図５】地蔵服中着斜視図である。
【図６】地蔵服上着斜視図である。
【図７】地蔵服上着製作図である。
【図８】地蔵服チョッキ斜視図である。
【符号の説明】
【００１０】１  地蔵服帽子
２  地蔵服中着
３  地蔵服上着
４  地蔵服チョッキ
５  ゴム
６  ゴム
ａ〜ｐ  地蔵服帽子と地蔵服上着の製作に必要な符号
【図１】
2007296297.tif 000003
【図２】
2007296297.tif 000004
【図３】
2007296297.tif 000005
【図４】
2007296297.tif 000006
【図５】
2007296297.tif 000007
【図６】
2007296297.tif 000008
【図７】
2007296297.tif 000009
【図８】
2007296297.tif 000010
(57)【要約】【課題】椅子、正座、及び、あぐら、それぞれに使用者の坐骨部を、最適な位置及び角度に固定して背骨の生理的湾曲を保ち、座位での疲労を防止する。【解決手段】携帯補助椅子の座面を椅子、正座、及び、あぐら、それぞれに適した傾斜座面を具備する。【選択図】図１
2007296292.tif 000002
【特許請求の範囲】
【請求項１】
椅子、正座、及び、あぐら、それぞれに適した傾斜座面を持つ携帯補助椅子。
【発明の詳細な説明】
【技術分野】
【０００１】  本発明は、椅子、正座、及び、あぐら、に使える疲労防止目的の携帯補助椅子に関する。
【背景技術】
【０００２】  従来の携帯補助椅子は、椅子、正座、及び、あぐら、に使えて、しかも疲労防止機能付きは殆ど無かった。
【発明の開示】
【発明が解決しようとする課題】
【０００３】  従来の携帯補助椅子は、座面が一枚の布状が一般的なため使用者の坐骨部が最適な位置及び角度に固定できず、結果として悪い姿勢の原因となり、疲労の蓄積につながっていた。【０００４】  本発明は、椅子、正座、及び、あぐら、使用時に使用者の坐骨部を最適な位置及び角度に固定して背骨が生理的湾曲を保つ状態にして疲労防止ができることを目的とするものである。
【課題を解決するための手段】
【０００５】  本発明は、上記目的を達成するために、椅子、正座、及び、あぐら、それぞれの使用時に合わせて携帯補助椅子の座面を傾斜させることで使用者の坐骨部を最適な位置及び角度に固定し座位での背骨の生理的湾曲を保ち疲労蓄積を少なくするものである。
【発明の効果】
【０００６】  上述したように本発明は、椅子、正座、及び、あぐら、それぞれの使用時に使用者の座位での姿勢を改善し、長時間、座っていても疲労の蓄積が少なく、肩こり、腰痛などの防止にも効果を発揮し、また、正座、あぐら、での瞑想等にも最適である。
【発明を実施するための最良の形態】
【０００７】  以下、本発明の実施の形態を図１〜図３に基づいて説明する。
【実施例１】
【０００８】  図１は、一般的な椅子の座面後方部に携帯補助椅子を前方を高く後方を低い傾斜面に設置した状態です。座位姿勢は使用者の坐骨部が最適な位置及び角度に固定されるため背骨の生理的湾曲がとれ結果的に姿勢が良くなり疲労しにくくなる。
【実施例２】
【０００９】  図２は、正座に使用するために携帯補助椅子の下面より折りたたみ脚を出し、前方を低く後方を高い傾斜面に設定した状態です。使用者の坐骨部が最適な位置及び角度に固定されるため背骨の生理的湾曲がとれ結果的に姿勢が良くなり疲労しにくく、瞑想等にも最適。
【実施例３】
【００１０】  図３は、あぐら、のために携帯補助椅子の前方を低く後方を高い傾斜面に設置した状態です。使用者の坐骨部が最適な位置及び角度に固定されるため背骨の生理的湾曲がとれ結果的に姿勢が良くなり疲労しにくく、瞑想等にも最適。
【図面の簡単な説明】
【００１１】
【図１】  一般的な椅子に携帯補助椅子を使用、及び座位姿勢図。（実施例１）
【図２】  正座のために携帯補助椅子を使用、及び座位姿勢図。（実施例２）
【図３】  あぐら、のために携帯補助椅子を使用、及び座位姿勢図。（実施例３）
【図１】
2007296292.tif 000003
【図２】
2007296292.tif 000004
【図３】
2007296292.tif 000005
(57)【要約】      （修正有）【課題】背もたれに対し左右の坐骨の前後左右のズレを予防または矯正することにより姿勢を正しくする椅子を提供する。【解決手段】椅子の臀部のあたる部分に、背もたれに平行した窪み１をつくり、坐骨をおさめた状態で背もたれにもたれて座る。このことによって背中と左右の坐骨を平行に保たせることができるため、背中と左右の坐骨の前後のズレを予防または矯正する。また、窪みの両端に外側に向かって高くなった傾斜２をつくることによって左右の坐骨を椅子の窪みの中心に誘導し、上半身と坐骨の左右方向のズレを予防または矯正する。背もたれに対し左右の坐骨の前後左右のズレを予防することによって、長時間座っていても姿勢が悪くなることを予防する。【選択図】図１
2007296295.tif 000002
【特許請求の範囲】
【請求項１】
椅子の臀部のあたる部分に、背もたれに平行した窪みのある椅子。この窪みに坐骨がおさまるように背もたれによりかかって座る。背もたれに対し左右の坐骨を平行に保つことによって、背中と坐骨の前後のズレを予防または矯正する器具。
【請求項２】
椅子の臀部のあたる部分に、背もたれに平行した窪みのある椅子の坐骨をおさめる窪みの両側に、外側に高くなる傾斜をつける。坐骨をおさめる窪みの両側の傾斜が坐骨を窪みの中心に誘導し、上半身と坐骨の左右のズレを予防または矯正する器具。
【発明の詳細な説明】
【技術分野】
【０００１】  本発明は背もたれ椅子に座って、上半身と左右の坐骨の前後左右の位置のズレを予防または矯正してよい姿勢を保つための器具。
【背景技術】
【０００２】  従来の椅子には、椅子の臀部のあたる部分に、背もたれに平行した窪みをつくり、背中と坐骨の左右のズレを予防または矯正するものがなかった。また、この窪みの両端に外側に向かって高くなる傾斜をつくることによって、背もたれに対し左右の坐骨の前後のズレを予防または矯正するものがなかった。
【発明の開示】
【発明が解決しようとする課題】
【０００３】  悪い姿勢で椅子に座ったとき、臀部にアンバランスな体重がかかる。上半身でバランスを保つために腰椎・脊椎・頚椎に歪みが生じ、腰椎・脊椎・頚椎の周辺の筋肉のバランスが悪くなり、痛みや疲れが生じやすくなる。背もたれに対し左右の坐骨の前後左右のズレを予防または矯正することにより姿勢を正しくする。
【課題を解決するための手段】
【０００４】  椅子の臀部のあたる部分に、背もたれに平行した窪みをつくり、坐骨がおさまるようにして背もたれにもたれて座る。背もたれと左右の坐骨が平行であることから、背中と左右の坐骨が平行に保たせることができるため、背中と左右の坐骨の前後のズレを予防または矯正する。また、窪みの両端に外側に向かって高くなった傾斜をつくることによって坐骨を椅子の窪みの中心に誘導し、坐骨の左右のズレを予防または矯正する。坐骨を正しい位置に誘導して、臀部にバランスよく体重がかかるようにし、正しい姿勢を保てるようにする。
【発明の効果】
【０００５】  左右の坐骨を背もたれに平行した位置に誘導した状態で、背もたれに垂直にもたれかかって座ることで、体の左右のバランスをとり、また、頚椎・脊椎・腰椎、それら周辺の筋肉のバランスが悪くなることを予防する。また、体に歪みがある場合には、背もたれによりかかることによって自身で歪みを実感できる。このため自身が体の歪みを意識して坐骨の正しい位置を保ち背もたれによりかかり座ることで、体の歪みを矯正することができる。正しい姿勢を保ち、疲れにくくすることができる。
【発明を実施するための最良の形態】
【０００６】  臀部のあたる部分に、背もたれに平行した窪みに坐骨をおさめるように座り、背もたれにもたれて座る。
【実施例】
【０００７】  以下、本発明の実施の形態を図１〜図２に基づいて説明する。
【産業上の利用可能性】
【・・・・】
【図面の簡単な説明】
【０００８】
【図１】  椅子の概略図
【図２】  臀部と椅子の窪みの断面図
【符号の説明】
【０００９】▲１▼背もたれに平行してつくられた窪み
▲２▼窪みの両端につくられた外側に高くなった傾斜部分
▲３▼坐骨
▲４▼背もたれに平行してつくられた窪みの傾斜部分
【図１】
2007296295.tif 000003
【図２】
2007296295.tif 000004